(57)【要約】      （修正有）【課題】利用者が所望する楽曲につき、毎回の演奏時（あるいは選曲時）に利用者にルビ表示有無の選択の手間を一々かけることのないカラオケシステムの提供。【解決手段】所定のカラオケ楽曲の演奏時に、歌詞テロップにルビを振った状態とルビを振らない状態とを選択表示できるカラオケシステムにおいて、利用者ＩＤ取得手段と、利用者別ルビ表示登録手段と、利用者別ルビ表示制御手段を備えてなり、利用者ＩＤ取得手段は、利用者が当該カラオケシステムにログインする際に、利用者ＩＤ記録媒体から利用者ＩＤを識別して取得し、利用者別ルビ表示登録手段は、ログインした任意の利用者が予め楽曲毎にルビ表示の有無を登録し、利用者別ルビ表示制御手段は、前記利用者がルビ表示の有無を登録した前記楽曲を選曲したときに、前記利用者別ルビ表示登録手段の登録内容に従ってルビ表示の有無を判別する。【選択図】図２
2007271816.tif 000002
【特許請求の範囲】
【請求項１】
所定のカラオケ楽曲の演奏時に、歌詞テロップにルビを振った状態とルビを振らない状態とを選択表示できるカラオケシステムにおいて、
利用者ＩＤ取得手段と、利用者別ルビ表示登録手段と、利用者別ルビ表示制御手段を備えてなり、
利用者ＩＤ取得手段は、利用者が当該カラオケシステムにログインする際に、利用者ＩＤ記録媒体から利用者ＩＤを識別して取得し、
利用者別ルビ表示登録手段は、ログインした任意の利用者が予め楽曲毎にルビ表示の有無を登録し、
利用者別ルビ表示制御手段は、前記利用者がルビ表示の有無を登録した前記楽曲を選曲したときに、前記利用者別ルビ表示登録手段の登録内容に従ってルビ表示の有無を判別し、当該楽曲の演奏時にはそれに対応する歌詞テロップを表示するように構成されたことを特徴とするルビ表示機能付カラオケシステム。
【請求項２】
上記ルビには複数の国語の表音文字が用意され、上記利用者別ルビ表示登録手段は、利用者が楽曲にルビ表示する旨を登録する際に、所望の国語の表音文字を登録することを特徴とする請求項１記載のルビ表示機能付カラオケシステム。
【発明の詳細な説明】
【技術分野】
【０００１】
本発明はルビ表示機能付カラオケシステムに関するものであり、特に、利用者の所望により、歌詞テロップのルビ表示の有無を予め設定できるカラオケシステムに関するものである。
【背景技術】
【０００２】
従来の此種カラオケシステムにおいて、例えば日本語の歌詞である場合は、歌詞テロップの漢字部分に振り仮名となるルビを振って、利用者に歌い易い環境にするシステムが知られている。また外国語の歌詞である場合は、歌詞テロップに日本語の仮名ルビを振ることもある。
【０００３】
しかし、利用者の中にはルビのない歌詞テロップでも十分に読解できる人もおり、そのような場合は、歌詞テロップのルビ表示が邪魔になることがある。また、外国語の歌唱が上手になりたい人も多く、最初は外国語の発音がうまくできたかどうか分からないので、歌詞テロップにルビ表示が必要であるが、ある程度外国語の発音に慣れてきたら、歌詞テロップのルビを見ないで歌ってみたい場合もでてくる。
【０００４】
さらに、最近は学童年齢の子供たちが外国語の教育を受けることが一般的になりつつあり、教材として外国語のカラオケ楽曲を歌唱することにより、外国語の発音を上達させることも考えられてきている。このような場合、歌詞テロップに仮名ルビを振り、子供たちがルビを見ながら外国語の発音を行えるようにすれば、学習意欲がわくとともに教育の成果向上が期待できる。
【０００５】
近時、歌詞テロップにルビを振った楽曲を歌唱するときに、利用者の要望に応じて歌詞テロップにルビ表示を行わないようにできるカラオケ装置が知られている。例えば、歌詞およびルビの表示文字を記述した歌詞データを歌詞表示部へ転送する際に、ルビ表示を禁止する指定情報が書き込まれたときは、前記歌詞データの中のルビの部分を歌詞表示部へ転送するのを禁止し、モニタに表示される歌詞テロップにルビ表示しないようにしたカラオケ装置が知られている（例えば、特許文献１参照）。
【特許文献１】特開平７−１４０９９２号公報
【発明の開示】
【発明が解決しようとする課題】
【０００６】
特許文献１記載の発明は、歌詞テロップにルビが振られた楽曲を歌唱する際に、利用者の要望によりルビ表示を禁止すれば、モニタには歌詞文字のみが表示される。しかし、当該楽曲が利用者のお気に入りの場合は、当該楽曲を何回も選曲することがあり、その都度ルビ表示の禁止操作を行わなければならないので、操作性がよくなかった。
【０００７】
また、楽曲Ａは歌詞テロップにルビがなくても比較的上手に歌唱できるが、楽曲Ｂはルビ表示がないと歌唱できないというように、利用者にとって歌詞テロップにルビが必要な楽曲と不必要な楽曲とがあり、楽曲を登録する際にルビ表示の有無を考えながら設定するのが面倒であり、楽曲毎にルビ表示の有無を指定できれば便利である。
【０００８】
そこで、利用者毎にルビ表示の有無を登録可能とし、利用者がルビ表示を必要とする楽曲には歌詞テロップにルビを振り、不必要な楽曲には自動的にルビを振らないようにするために解決すべき技術的課題が生じてくるのであり、したがって、本発明は、ルビ表示機能を用いて外国語曲をマスターする上で、個人毎に適応した効率的な習得ができ、また、如何なる国籍の利用者にも対応でき、さらに、利用者が所望する楽曲につき、毎回の演奏時（あるいは選曲時）に利用者にルビ表示有無の選択の手間を一々かけることのないカラオケシステムの提供を課題とする。
【課題を解決するための手段】
【０００９】
本発明は上記目的を達成するために提案されたものであり、請求項１記載の発明は、所定のカラオケ楽曲の演奏時に、歌詞テロップにルビを振った状態とルビを振らない状態とを選択表示できるカラオケシステムにおいて、利用者ＩＤ取得手段と、利用者別ルビ表示登録手段と、利用者別ルビ表示制御手段を備えてなり、利用者ＩＤ取得手段は、利用者が当該カラオケシステムにログインする際に、利用者ＩＤ記録媒体から利用者ＩＤを識別して取得し、利用者別ルビ表示登録手段は、ログインした任意の利用者が予め楽曲毎にルビ表示の有無を登録し、利用者別ルビ表示制御手段は、前記利用者がルビ表示の有無を登録した前記楽曲を選曲したときに、前記利用者別ルビ表示登録手段の登録内容に従ってルビ表示の有無を判別し、当該楽曲の演奏時にはそれに対応する歌詞テロップを表示するように構成されたことを特徴とするルビ表示機能付カラオケシステムを提供する。
【００１０】
この構成によれば、利用者がカラオケシステムを利用する際は、利用者ＩＤ取得手段が利用者ＩＤを識別して取得することにより、当該利用者がカラオケシステムにログインできる。この利用者ＩＤに基づいてカラオケホスト装置（サーバー）から当該利用者の利用者情報がダウンロードされる。この利用者情報には、当該利用者における楽曲毎のルビ表示有無などのデータなどが含まれている。利用者が任意の楽曲を予約登録する際に、外国語の曲などで歌詞テロップにルビが振られている楽曲である場合、当該利用者の所望によりルビ表示の有無をルビ表示情報として利用者別ルビ表示登録手段に登録する。
【００１１】
そして、利用者別ルビ表示制御手段が前記登録されたルビ表示情報に従ってルビ表示の有無を判別し、当該利用者の登録した楽曲の演奏時には、それに対応する歌詞テロップが表示される。このルビ表示情報は当該利用者ＩＤに紐付けされて利用者情報として更新され、カラオケ演奏装置およびサーバーに記録されるため、次回から当該利用者が同一の楽曲を予約登録したときに、登録内容に従ってルビ表示の有無が自動的に選択され、それに対応した歌詞テロップが表示される。
【００１２】
請求項２記載の発明は、上記ルビには複数の国語の表音文字が用意され、上記利用者別ルビ表示登録手段は、利用者が楽曲にルビ表示する旨を登録する際に、所望の国語の表音文字を登録することを特徴とする請求項１記載のルビ表示機能付カラオケシステムを提供する。
【００１３】
この構成によれば、ルビに複数の国語の表音文字が用意されている場合には、楽曲にルビ表示する旨を登録する際に、当該利用者の所望する国語の表音文字、例えば日本人であれば日本語仮名文字のルビを登録すれば、登録された楽曲が演奏されるときは、当該利用者に適した日本語仮名文字のルビが自動的に表示される。
【発明の効果】
【００１４】
本発明は、上述したように、利用者が所定のカラオケ楽曲に対して、その演奏時に歌詞テロップにルビを表示させるか否かを予め登録することができる。例えば、利用者が外国語の歌詞の楽曲を歌唱する場合に、当初はルビを表示させてそれを見ながら歌唱していたものを、発音の上達に伴ってルビ表示なしで歌唱したい場合は、予め楽曲毎にルビ表示なしと登録しておくことにより、楽曲の演奏時にその都度ルビ表示の有無を設定することなく、自動的にルビなしの歌詞テロップが表示されるため、外国語曲をマスターする上で、個人毎に適応した効率的な習得ができ、さらに、利用者が所望する楽曲につき、毎回の演奏時（あるいは選曲時）に利用者にルビ表示有無の選択の手間を一々かけることがない、などの効果を奏する。
【００１５】
なお、同一の楽曲であっても、利用者毎にルビ表示の有無を異にして登録できるため、利用者の嗜好に合わせてルビ表示を変更することができる。さらに、ルビを複数の国語の表音文字の中から、利用者の所望する国語の表音文字を選択して登録できるため、如何なる国籍の利用者であっても所望の外国語を効率的に学習できる。
【発明を実施するための最良の形態】
【００１６】
以下、本発明に係るルビ表示機能付カラオケシステムについて、好適な実施例をあげて説明する。利用者毎にルビ表示の有無を登録可能とし、利用者がルビ表示を必要とする楽曲には歌詞テロップにルビを振り、不必要な楽曲には自動的にルビを振らないようにするという目的を達成するために、本発明は所定のカラオケ楽曲の演奏時に、歌詞テロップにルビを振った状態とルビを振らない状態とを選択表示できるカラオケシステムにおいて、利用者ＩＤ取得手段と、利用者別ルビ表示登録手段と、利用者別ルビ表示制御手段を備えてなり、利用者ＩＤ取得手段は、利用者が当該カラオケシステムにログインする際に、利用者ＩＤ記録媒体から利用者ＩＤを識別して取得し、利用者別ルビ表示登録手段は、ログインした任意の利用者が予め楽曲毎にルビ表示の有無を登録し、利用者別ルビ表示制御手段は、前記利用者がルビ表示の有無を登録した前記楽曲を選曲したときに、前記利用者別ルビ表示登録手段の登録内容に従ってルビ表示の有無を判別し、当該楽曲の演奏時にはそれに対応する歌詞テロップを表示するように構成することにより実現した。
【実施例１】
【００１７】
図１は本発明に係るカラオケシステムの全体構成図であり、カラオケ演奏装置１０はＣＰＵ、ＲＡＭ、ＲＯＭ等を含む中央制御部１１を有し、ルータやモデム等の回線終端装置１２を介してネットワーク通信回線１００に接続され、該ネットワーク通信回線１００を介してカラオケホスト装置２００に接続されている。後述するように、カラオケ演奏装置１０から利用者の選曲情報をカラオケホスト装置２００へ送り、カラオケホスト装置２００からカラオケデータを受け取ってハードディスク装置１３に格納する。また、利用者から利用者ＩＤを取得してカラオケホスト装置２００へ送り、カラオケホスト装置２００から当該利用者の利用者情報を受け取る。
【００１８】
カラオケ演奏装置１０はリモコン装置５０を有し、該リモコン装置５０には表示部と入力部が一体になったグラフィカルユーザーインターフェイス（以下ＧＵＩという）５１が設けられている。利用者がＧＵＩ５１に表示される楽曲一覧から所望の楽曲を選択すれば、リモコン装置５０からカラオケ演奏装置１０へ当該楽曲ＩＤを含む選曲情報信号が送信される。この選曲情報信号がカラオケ演奏装置１０に備えられているリモコン受信部１４にて受信されると、受信された選曲情報信号が操作制御部１５を介して前記中央制御部１１に送られる。また、カラオケ演奏装置１０の本体に設けられている操作パネル１６にて直接楽曲ＩＤを入力した場合も、操作パネル１６から操作制御部１５を介して前記中央制御部１１に選曲情報信号が送られる。
【００１９】
中央制御部１１は操作制御部１５から選曲情報信号を受け取ると、選択された楽曲を選曲予約手段にて予約し、該当するカラオケデータを前記ハードディスク装置１３から読み出す。選曲情報に該当するカラオケデータがハードディスク装置１３に存在しないときは、前述した回線終端装置１２を介してネットワーク通信回線１００と接続し、前記カラオケホスト装置２００から該当するカラオケデータをダウンロードしてハードディスク装置１３に格納する。
【００２０】
前記カラオケデータは、カラオケ楽曲の伴奏音楽を生成するための演奏データと、モニタ等の表示手段に出力される歌詞テロップおよび背景映像である動画等の画像データを含んでいる。演奏データはＭＩＤＩ規格などで符号化された音源制御情報であり、画像データはコード化された歌詞文字群（ルビ文字データを含む）やＭＰＥＧ規格などで圧縮された映像の情報を含んでいる。
【００２１】
ここで、外国語の楽曲においては、前記歌詞テロップに日本語などのルビ文字が振られている。このルビ文字は中央制御部１１の制御により、通常のデフォルト設定では表示とするが、非表示にすることもできる。本発明におけるルビ文字とは、仮名文字や片仮名文字あるいはハングル文字といった音節文字や、アルファベットとして有名なアラビア文字やギリシャ文字あるいはキリル文字といった音素文字からなる表音文字であり、発音記号を構成するものであっても良い。なお、ルビ文字は日本語だけではなく中国語や韓国語あるいは英語やラテン語など、複数の国語の表音文字が用意されている。
【００２２】
中央制御部１１は該当するカラオケデータから楽曲データをシンセサイザ１７に順次転送し、該シンセサイザ１７はこの楽曲データに従って伴奏音楽を生成する。シンセサイザ１７によって生成された伴奏音楽は、ミキシングアンプ１８を通ってスピーカ１９から再生される。一方、利用者が歌唱する音声はマイク２０に集音され、前記ミキシングアンプ１８で伴奏音楽とミキシングされてスピーカ１９から再生される。
【００２３】
また、中央制御部１１は当該カラオケデータからこの伴奏音楽の生成に同期させて歌詞描出データを処理し、歌詞文字群を順次映像制御部２１にビットマップ展開させる。さらに、当該カラオケデータから楽曲に対応する動画データを抽出し、映像制御部２１にて背景映像に前記歌詞文字群をスーパーインポーズし、背景映像と歌詞文字群を表示手段であるモニタ２２の画面に表示させる。なお、本発明では、上記特許文献１に記載のように、ルビ表示データを独立して用意し、演奏時に、上記歌詞文字群から抽出されてなる歌詞テロップ本体と合成させるように構成しても、あるいは、独立させずに予め合成された歌詞テロップ（ルビ表示有テロップ）と非合成の歌詞テロップ（ルビ表示無しテロップ）の二種類（複数の国語の表音文字を対応させれば、さらに多種類となる）を用意しても構わない。
【００２４】
ここで、前記リモコン装置５０にはＧＵＩ５１のほかに、利用者ＩＤ記録媒体の一例であるＩＣカード５２を読み取るためのカードリーダ５３が設けられている。利用者が自分のＩＣカード５２を前記カードリーダ５３にセットすれば、利用者ＩＤ取得手段としてのカードリーダ５３が利用者ＩＤを識別して取得し、取得された利用者ＩＤが前記中央制御部１１に送られる。そして、ネットワーク通信回線１００によりカラオケホスト装置２００へ転送されて、当該利用者がカラオケシステムにログインすることができる。
【００２５】
利用者ＩＤが取得されてカラオケシステムにログインすると、カラオケホスト装置２００から当該利用者の利用者情報がダウンロードされ、当該利用者が歌唱した楽曲履歴や登録したお気に入り曲名などが、利用者の操作に応じてモニタ２２あるいはリモコン装置５０のＧＵＩ５１に表示される。また、後述する、利用者が所望する楽曲毎に利用者ＩＤを紐付けして、歌詞テロップに付帯するルビ表示の有無を登録する際には、リモコン装置５０のＧＵＩ５１によって行う。
【００２６】
なお、前記利用者ＩＤ記録媒体としては前述のＩＣカード５２に限定されず、例えば携帯電話に利用者ＩＤを記録するマイクロチップを内蔵しておき、該携帯電話をリモコン装置にセットして利用者ＩＤを読み取るように構成することもできる。かかる構成の場合は、特にＩＣカードを別途用意する必要がなく、利用者が通常に持っている携帯電話にてカラオケシステムにログインすることができ、当該利用者が使用する楽器の選択も自動的に行われる。また、利用者ＩＤ記録媒体から利用者ＩＤを読み取る装置は、前記リモコン装置５０に設けなくてもよく、他の機器或いは単独して設置してもよい。
【００２７】
ここで、歌詞テロップについて述べれば、外国語の楽曲では歌詞テロップが外国語であり、利用者が歌いやすいように日本語の仮名ルビを振ることが多い。従来のカラオケシステムでは、利用者がルビ表示を必要としない場合であっても、ルビ表示を消すことができないものが普通であった。あるいは、消すことができるシステムであっても、演奏の都度ルビ表示の禁止操作を行わなければならないという手間があった。しかしながら、本発明のカラオケシステムでは、任意の楽曲についてルビ表示の有無を、利用者毎に予め選択でき、さらに、利用者が所定の楽曲に対して予めルビ表示の有無やルビの国語を登録することができる。
【００２８】
図２は制御手順のフローチャート、図３〜図８はルビ表示機能画面の説明図である。図１〜図９に従って、当該カラオケシステムにおけるルビ表示機能について説明する。なお、説明の都合上、以下、特に記述がないかぎり、各手段のプログラムあるいは各手段によって生成または記録されるデータは、カラオケ演奏装置１０の中央制御部１１内のメモリもしくはハードディスク装置１３に記録されるものとする。
【００２９】
先ず、利用者ＩＤ取得手段であるカードリーダ５３に利用者のＩＣカード５２をセットすることにより、当該利用者の利用者ＩＤが取得されて中央制御部１１に送られ、カラオケホスト装置２００に記録されている当該利用者の利用者情報が中央制御部１１に取り込まれる（ステップ101）。
【００３０】
利用者ＩＤが取得されてカラオケシステムにログインすると、取得された利用者ＩＤに基づいて、カラオケホスト装置２００に記録されている利用者情報の中から、「利用者別ルビ表示情報記録テーブル」をダウンロードしてカラオケ演奏装置１０に記録する。この「利用者別ルビ表示情報記録テーブル」を表１に示す。このテーブルには、利用者ＩＤと、予約登録された楽曲ＩＤと、ルビ表示の有無およびルビの国語からなるルビ表示情報が記録される。
【００３１】
【表１】
2007271816.tif 000003
【００３２】
本実施例においては、外国語の歌詞テロップには標準の状態で日本語の仮名ルビが振られているものとし、利用者によるルビ表示情報の登録がない場合は、「ルビの有無（ルビ表示フラグ）」は「あり」、「ルビの国語」は「日本語」がデフォルトとなり、この場合は日本語のルビが振られる。後述するように、利用者によってルビ表示情報の登録がある場合は、「ルビの有無」には「あり」または「なし」のデータが記録され、「ルビの国語」には例えば「日本語」や「中国語」などのデータが記載される。
【００３３】
当該利用者の利用者情報にルビ表示情報の登録がある場合は（ステップ102）、楽曲の予約登録時に、前記「利用者別ルビ表示情報記録テーブル」から当該利用者が選択した楽曲ＩＤにおけるルビ表示情報が読み込まれる（ステップ103）。そして、利用者ＩＤと楽曲ＩＤとルビ表示情報が紐付けされる。例えば、次のデータが選曲情報信号としてカラオケ演奏装置１０に送られて、予約登録がなされる（ステップ105）。
【００３４】
DK_TAROU(当該利用者ＩＤ)＋5555-12(楽曲ＩＤ)＋FLUG01-03(ルビあり・韓国語)
一方、当該利用者が初めて選択した楽曲などで、利用者情報にルビ表示情報の登録がない場合は、楽曲の予約登録時に、後述する操作手順で、ルビ表示の有無と所望の国語を登録することができる（ステップ104）。そして、この登録後は、この登録条件が次回以降のデフォルト設定となる。また、標準の状態で日本語の仮名ルビを希望する場合は、特に登録操作を必要としないので、ルビ表示情報の登録がない状態となる。
【００３５】
次に、ルビ表示情報の登録操作について説明すれば、先ず当該利用者が、リモコン装置５０にて所望の楽曲を選択する。例えば図３に示すように、「ザ・ウイルスズ」の演奏楽曲の中から「All Your Loving」を選択すれば、図４に示すように、選択された楽曲名が表示されるとともに、画面の隅の箇所に「ルビ振り選択」ボタンが表示され、当該利用者は歌詞テロップにルビを振るか否かを選択することができる。
【００３６】
もし、利用者がすでにルビ表示情報の登録があれば、「転送」ボタンを押すことにより、登録されたルビ表示情報に従って予約登録がなされ、楽曲演奏時には登録されたルビ表示情報に従って歌詞テロップが表示される。これに対して、ルビ表示情報の登録がない場合、利用者が「ルビ振り選択」ボタンを押さないで「転送」ボタンを押せば、デフォルトである「ルビあり・日本語」のルビ表示フラグが立ち、次のデータが選曲情報信号としてカラオケ演奏装置１０に送られて楽曲の予約登録がなされる。
【００３７】
DK_TAROU(当該利用者ＩＤ)＋3333-09(楽曲ＩＤ)＋FLUG01-01(ルビあり・日本語)
また、ルビ表示情報が登録されているか否かにかかわらず、利用者が「ルビ振り選択」ボタンを押した場合は、図５に示すように、リモコン装置５０に、ルビ表示の有無を問う画面が表示される。利用者は「ルビを付ける」または「ルビを付けない」の何れかのボタンを押すことによって次の画面にすすむ。  
【００３８】
利用者が「ルビを付ける」ボタンを押したときは、図６に示すように、ルビ表示文字の国語を選択する画面が表示される。利用者はその中から所望する国語のルビ表示文字を選択する。例えば、「中国語」を選択すれば「ルビあり・中国語」のフラグが立ち、図７に示すように、「歌詞テロップに中国語のルビを付す」と画面表示される。利用者が「転送」ボタンを押すことにより、当該利用者ＩＤと選択された楽曲ＩＤと「ルビあり・中国語」のルビ表示フラグが紐付けされて、次のデータが選曲情報信号としてカラオケ演奏装置１０に送られて予約登録される。
【００３９】
DK_TAROU(当該利用者ＩＤ)＋3333-09(楽曲ＩＤ)＋FLUG01-02(ルビあり・中国語)
これに対して、図５に示した画面で「ルビを付けない」ボタンを押した場合は、「ルビなし」のフラグが立ち、次のデータが選曲情報信号としてカラオケ演奏装置１０に送られて楽曲の予約登録がなされる。
【００４０】
DK_TAROU(当該利用者ＩＤ)＋3333-09(楽曲ＩＤ)＋FLUG00-00(ルビなし)
なお、前述したように、図４に示した「ルビ振り選択」ボタンを押さなければ、自動的に日本語ルビが振られるので、図５に示す「ルビを付ける」ボタンは必要ないようにみえるが、これはルビ表示文字の国語を変更する場合にも使用される。
【００４１】
たとえばある楽曲で「中国語ルビ」を登録してある利用者が、同一楽曲で「日本語ルビ」に変更したい場合には、図５に示した「ルビを付ける」ボタンを押すことにより、図６に示した、ルビ表示文字の国語を選択する画面が表示される。ここで、「日本語」ボタンを押すことによってルビ表示フラグが「ルビあり・中国語」から「ルビあり・日本語」に変わり、前述のルビフラグ表示の判定処理で日本語のルビが振られることになる。
【００４２】
予約登録が完了すると、前記「利用者別ルビ表示情報記録テーブル」が更新され、更新された「利用者別ルビ表示情報記録テーブル」の一例を表２に示す。
【００４３】
【表２】
2007271816.tif 000004
【００４４】
表１に示したテーブルと比較して、ここでは、「4444-05」の楽曲ＩＤのルビ表示情報が「ルビなし」に変更されている。
【００４５】
そして、予約登録した楽曲の演奏が開始されると（ステップ106）、楽曲演奏がスピーカ１９から再生されるとともに、背景映像と当該楽曲の歌詞テロップが、楽曲の進行に同期してモニタ２２に表示される。このとき、前記ルビ表示フラグがあれば、歌詞テロップには対応する国語でルビ文字が表示され（ステップ107→108）、ルビ表示フラグがなければ歌詞テロップにはルビが表示されない（ステップ109）。
【００４６】
例えば、「ルビあり・日本語」のルビ表示フラグがあれば、図８に示すように、モニタ画面２２の下段に外国語歌詞テロップ６０が表示されるとともに、その上段に日本語ルビ文字が表示される。これに対して、ルビ表示フラグがないときは、図９に示すように、モニタ画面２２の下段に外国語歌詞テロップ６０が表示されるのみで、その上段にルビ文字は表示されない。
【００４７】
カラオケ演奏が終了すると（ステップ110）、再びステップ102へ戻る。前記「利用者別ルビ表示情報記録テーブル」が更新されているので、所定の楽曲ＩＤについて例えば「ルビなし」のルビ表示情報が記録されていれば、当該利用者がその楽曲ＩＤを予約登録してカラオケ演奏すれば、利用者がルビ表示の選択操作を何ら行わなくても、自動的にルビなしの歌詞テロップが表示されることになる。
【００４８】
このように、利用者が所定のカラオケ楽曲に対して、その演奏時に歌詞テロップにルビを表示させるか否かを予め登録しておくことができるため、登録内容に従ってルビ表示の有無が自動的に選択され、それに対応した歌詞テロップが表示される。
【００４９】
なお、本発明は、本発明の精神を逸脱しない限り種々の改変を為すことができ、そして、本発明が該改変されたものに及ぶことは当然である。
【図面の簡単な説明】
【００５０】
【図１】本発明に係るカラオケシステムの全体構成図。
【図２】本発明に係る制御手順のフローチャート。
【図３】本発明に係るルビ表示機能画面の説明図。
【図４】本発明に係るルビ表示機能画面の説明図。
【図５】本発明に係るルビ表示機能画面の説明図。
【図６】本発明に係るルビ表示機能画面の説明図。
【図７】本発明に係るルビ表示機能画面の説明図。
【図８】本発明に係るルビ表示機能画面の説明図。
【図９】本発明に係るルビ表示機能画面の説明図。
【符号の説明】
【００５１】
１０  カラオケシステム
１１  中央制御部
１３  ハードディスク装置
２１  映像制御部
２２  モニタ
５０  リモコン装置
５１  ＧＵＩ
６０  外国語歌詞テロップ
６１  日本語ルビ文字
【図１】
2007271816.tif 000005
【図２】
2007271816.tif 000006
【図３】
2007271816.tif 000007
【図４】
2007271816.tif 000008
【図５】
2007271816.tif 000009
【図６】
2007271816.tif 000010
【図７】
2007271816.tif 000011
【図８】
2007271816.tif 000012
【図９】
2007271816.tif 000013